(57)【要約】      （修正有）【課題】居住者が、建築物から足を踏み出さない状況下、充分即時の医療サービス、サポート、及び生活機能のサービスの提供を受けることができる、医療機能と住宅機能を結合すると共に、自動化倉庫システムを設置する建築物を提供する。【解決手段】建築物の適当階層に位置する少なくとも１つの医療施設層２０と、複数個の住居ユニット３０と、自動化倉庫システム６０とを備え、各住居ユニットには、テーブル体３１１と、少なくとも１つの住居探知測定設備３１２と、テーブル体の別の位置上に載置されるスマートコンピュータ装置３１３とを有する生活医療用テーブル３１が設置され、スマートコンピュータ装置は、一端が各住居探知測定設備の出力端に連結され、他端がネットワークを介して医療クラウド及び小型化の自動化倉庫システムに接続され、自動化倉庫システムは、ネットワークを介してスマートコンピュータ装置の他端にリンクされ、倉庫業務を自動化処理する。【選択図】図１
0003227077.tif 000002
【実用新案登録請求の範囲】
【請求項１】
医療機能と住宅機能を結合すると共に、自動化倉庫システムを設置する建築物であって、
前記建築物の適当階層に位置する少なくとも１つの医療施設層と、複数個の住居ユニットと、自動化倉庫システムとを備え、
各当該住居ユニットには、テーブル体と、前記テーブル体上に設置される少なくとも１つの住居探知測定設備と、前記テーブル体の別の位置上に載置されるスマートコンピュータ装置とを有する生活医療用テーブルが設置され、
当該住居探知測定設備は、居住者の生理データを計測すると共に、計測した生理データを伝送するために用いられ、
出入力装置、中央処理ユニット、メモリユニット及び表示部材を含む前記スマートコンピュータ装置は、その一端が各前記少なくとも１つの住居探知測定設備の出力端に連結され、その他端がネットワークを介して医療クラウド及び小型化の前記自動化倉庫システムに接続され、前記居住者の生理データを受信して前処理を行うと共に、前記医療クラウドにアップロードすることで、前記居住者は、前記出入力装置を用いて、指令操縦、メッセージの送受信と表示、医療スタッフのリンク、医療物資の調達及びその他の医療サービスとサポートを含む医療ケア関連の操作を行い、
前記建築物の比較的に低い階層に設置される自動化倉庫施設と、前記自動化倉庫施設と前記居住者との間に配設される少なくとも１つの輸送配管と、コンピュータ制御装置とを含む前記自動化倉庫システムは、前記ネットワークを介して前記スマートコンピュータ装置にリンクされ、倉庫業務を自動化処理するために用いられ、
前記自動化倉庫施設は、必要な医療用品または生活用品（食膳及びその他の食べ物を含む）を自動化分類して保存するために用いられると共に、前記居住者からの要望指示を受け付けると、所要の医療用品または生活用品を準備及び伝送するために用いられ、
前記少なくとも１つの輸送配管は、輸送コンテナを経由して前記所要の医療用品または生活用品を前記居住者住所に伝送するために用いられ、
それぞれ前記自動化倉庫施設と、前記少なくとも１つの輸送配管とに電気的にカップリングされ、及び前記ネットワークを介して前記テーブル体の前記スマートコンピュータ装置に接続される前記コンピュータ制御装置は、前記自動化倉庫システムの管理、メッセージの送受信、操作及び配達を実行するために用いられ、これにより前記居住者は、住居環境から足を踏み出さない状況下、充分、即時の医療サービスとサポートを受け、及び生活機能のサービスの提供を受けることが可能であることを特徴とする、医療機能と住宅機能を結合すると共に、自動化倉庫システムを設置する建築物。
【請求項２】
当該住居探知測定設備は、耳式体温計、血圧計、血糖計、血中酸素濃度測定器、体重計またはその他の簡易型の探知測定設備であることを特徴とする、請求項１に記載の医療機能と住宅機能を結合すると共に、自動化倉庫システムを設置する建築物。
【請求項３】
前記生理データは、体温、心拍数、血圧、血糖値、血中酸素濃度、体重及びＢＭＩの少なくともいずれか１つを含むことを特徴とする、請求項１に記載の医療機能と住宅機能を結合すると共に、自動化倉庫システムを設置する建築物。
【請求項４】
前記自動化倉庫システムの稼動は、前記スマートコンピュータ装置及び／または前記コンピュータ制御装置により実行されることを特徴とする、請求項１に記載の医療機能と住宅機能を結合すると共に、自動化倉庫システムを設置する建築物。
【請求項５】
前記少なくとも１つの輸送配管は、自動軌道エレベーターまたは気送管であり、かつ伝送の終端は、前記住居者の居住空間の保管空間、収受窓口または保管コンテナを指すことを特徴とする、請求項１に記載の医療機能と住宅機能を結合すると共に、自動化倉庫システムを設置する建築物。
【請求項６】
前記スマートコンピュータ装置の中央処理ユニットによる管理は、入荷、出荷、保存の段取り、及び前記居住者からの要望指示と到着通知の収受を含むことを特徴とする、請求項１に記載の医療機能と住宅機能を結合すると共に、自動化倉庫システムを設置する建築物。
【請求項７】
前記居住者の前記保管コンテナは、さらに前記少なくとも１つの輸送配管を経由して廃棄または不用の医療用品または生活用品を返送するために用いられることを特徴とする、請求項５に記載の医療機能と住宅機能を結合すると共に、自動化倉庫システムを設置する建築物。
【請求項８】
前記輸送コンテナは、多層保存構築を有し、より下段の層に比較的に重い医療用品または生活用品を保存し、かつより上段の層に比較的に軽いまたは貴重な医療用品または生活用品を保存することを特徴とする、請求項１に記載の医療機能と住宅機能を結合すると共に、自動化倉庫システムを設置する建築物。
【請求項９】
前記ネットワークを介して接続される前記医療クラウドは、それぞれ前記スマートコンピュータ装置及び医療センターにリンクされ、前記居住者へのスマート医療サービスとサポートを即時に提供するために用いられると共に、実時間監視及び長期介護を提供するために用いられることを特徴とする、請求項１に記載の医療機能と住宅機能を結合すると共に、自動化倉庫システムを設置する建築物。
【請求項１０】
前記医療クラウドは、必要時にそれぞれ前記スマートコンピュータ装置を経由して各前記居住者及び医療看護スタッフに通知する警報表示機能をさらに提供することを特徴とする、請求項９に記載の医療機能と住宅機能を結合すると共に、自動化倉庫システムを設置する建築物。
【請求項１１】
前記居住者へのスマート医療サービスとサポートは、探知測定データを記録、分析及び統合して、医療情報、諮問及び遠隔介護を提供するか、あるいは前記居住者と医療看護スタッフとの密接な連携メカニズムを提供することを特徴とする、請求項９に記載の医療機能と住宅機能を結合すると共に、自動化倉庫システムを設置する建築物。
【考案の詳細な説明】
【技術分野】
【０００１】
本考案は、医療機能と住宅機能を結合する複合建築物に関するものである。
【背景技術】
【０００２】
特許文献１には、物品を倉庫用トロリーの運搬機構を介して建築物底部の倉庫エリアから建築物室内に運ぶための緑色インテリジェントな倉庫システムが開示されており、前記特許文献１は、緑色インテリジェントな倉庫システムとして応用されるものの、医療複合住宅エリアへの応用を明らかに示唆するものではなかった。
【０００３】
昨今、数多くの病院の薬品用自動化倉庫システムは、殆ど倉庫の内部に運搬を行うものであり、住宅エリアに応用されるものではない。
【先行技術文献】
【特許文献】
【０００４】
【特許文献１】中国特許出願公開第１０７４５５９９８号明細書
【考案の概要】
【考案が解決しようとする課題】
【０００５】
電子商取引の科学技術の進歩により、数多くの買い物をするという行為は、外出せずに行うことができ、しかも住居から外出せずに自宅に宅配されることを意味する。一方、人類は年齢を重ねるにつれて、かつ個人プライバシ情報（例えば、プライベートで購買した商品）を重視するようになるにつれて、その情報の開示を望んでいないことになる。
【課題を解決するための手段】
【０００６】
本考案にかかる医療機能と住宅機能を結合する建築物中に設置される小型の自動化スマート倉庫システムは、病院や住宅などの施設または建築物に応用されてもよく、とりわけ医療機能及び住宅機能が整合している建築物中に、これにより住居便利及び医療介護機能を兼ね備える生活が提供される。前記小型の自動化倉庫システム中には、前記建築物の比較的に低い階層に設置される自動化倉庫施設と、前記自動化倉庫施設と前記住戸との間に配設される少なくとも１つの輸送配管と、コンピュータ制御装置（中央処理ユニット）とを含み、自動化倉庫施設は、必要な生活用品を自動化分類して保存するために用いられると共に、住戸からの要望指示を受け付けると、所要の生活用品を自動伝送するために用いられ、少なくとも１つの輸送配管は、輸送コンテナを経由して前記所要の生活用品を前記住戸箇所に伝送するために用いられ、コンピュータ制御装置は、それぞれ前記自動化倉庫施設と、前記少なくとも１つの輸送配管とに電気的にカップリングされ、前記自動化倉庫システムの管理、操作及び配達を実行するために用いられる。
【０００７】
当該輸送配管は、前記自動化倉庫施設と前記住戸との間に配設され、前記所要の生活用品を前記住戸箇所に伝送するために用いられる。当該輸送配管は、自動軌道エレベーターまたは気送管であってもよく、かつ前記住戸の居住空間の保管空間、収受窓口または保管コンテナまで伝送される。
【０００８】
前記コンピュータ制御装置は、それぞれ前記自動化倉庫施設と、前記少なくとも１つの輸送配管とに電気的にカップリングされ、前記自動化倉庫システムの管理、操作及び配達を実行するために用いられ、前記自動化倉庫システムの管理は、入荷、出荷、保存の段取り、及び前記住戸からの要望指示と到着通知の収受を含む。
【０００９】
より好ましくは、本考案の自動化倉庫施設は、多層保存構築を有し、倉庫システムの管理員は、比較的に重い生活用品を前記輸送コンテナの保存構築のより下段の層に保存し、比較的に軽いまたは貴重な生活用品を前記保存構築のより上段の層に保存し、それから全体を前記住戸箇所に配達し、前記住戸がその住戸箇所に配達された生活用品を受け取ったときに、高い所から重い物を持ち取るために怪我をするリスクを回避できる。
【００１０】
本考案は、建築物の各住居ユニットに生活医療用テーブルを提供し、とりわけベッド脇のテーブルの構造改良を提供し、それをベッドのそばに置くことができるので、ベッド脇のテーブルの脚体をベッドの下に置くようにさせ、そしてテーブル板をベッドの上方で広げ、ベッドの上に横臥した人や患者の使用のために供される。本考案が提供する生活医療用テーブルは、テーブル体及び支柱を有し、支柱の一端でその上部に設置される荷重受圧装置により前記テーブル体を支持し、その他端にカンチレバーが連結され、前記支柱の一側辺にボックス体が連結され、前記カンチレバーは、前記支柱の他側辺の下方に連結されると共に、前記テーブル体と平行になり、これにより各前記住居ユニットでの一般の日常生活機能を提供すると共に、充分即時の医療サービスとサポートを提供することが可能である。
【００１１】
本考案の目的は、健康ロハスセンターＨＬＣＣ（Ｈｅａｌｔｈ  ＬＯＨＡＳ  Ｃａｒｅ  Ｃｅｎｔｅｒ）の建築物を提供することにある。会員（各住居ユニットの居住者）は、朝起きると、規則的に一日中の第１回目の生理データの計測を行い、会員はベッドから離れる必要がなく、各住居ユニットに整合する「生活医療用テーブル」中の設備を使用して、「心拍数、血圧、血糖値、血中酸素濃度、ＢＭＩ」を測定することができ、全ての計測データを、いずれも医療クラウドに自動アップロードすると共に、健康ロハスＨＬＣシステム及び専門的医師と看護師は、計測データの変化に即座に関心を寄せ、計測データに如何なる異常が発生していたとしても、医師より、生活医療用テーブル上に配置されるスマートコンピュータ装置やタブレット設備を用いて、会員へ改善のための推奨事項や注意喚起の通知メッセージを即時に伝送することができる。疾病は、常に知らないうちに発生してしまい、数多くの致命的な疾病についても同様である。高齢化に伴い、健康ロハス産業が盛んになってきているので、より多くの人は、ただ長生きするだけでなく、人生を健康で自分らしく生きたいと考えるようになる。よって、ＨＬＣセンターの趣旨は、健康ロハスを求めること以外に、治療よりも予防が大切という考えも含む。
【００１２】
朝の計測が終わったら、ＨＬＣシステムは、自動的に節気、会員の好み及び専門的栄養士の推奨に従って、春夏秋冬、季節ごとに多くの旬の食材を取り入れて多くの食養生を行うためのビッグデータを活用した食膳を提供し、会員は、生活医療用テーブル上のスマートコンピュータ装置やタブレット設備を用いて、健康ロハスセンター専属の個人情報を安全に保護するプライバシアプリを実行することもでき、その後、ＨＬＣシステムの小型の自動化倉庫システムにより、食膳を地下５階の自動化キッチンから指定会員の部屋に的確に伝送し、加えて食膳が輸送中に温度と鮮度を維持する特製の料理箱に入れてあるので、入居会員が食膳を召し上がる時は、依然として食べ物の本来の温度と風味を保持することができる。食事の用意や買い物に伴う１〜２名の高齢者の不便や苦労を解消することができ、即ち、頻繁な外食による慢性病に罹患するリスクの制御困難の問題を解消することができる。
【００１３】
また、入居会員は、生活医療用テーブルで提供されるスマートコンピュータ装置を用いて商品を注文することができ、ＨＬＣシステムのプラットフォームでは、「医学、衣、食、住、行、育、樂」などの７つの生活の基本条件を包含する厳選商品が提供され、会員がこれらを選択的に購入するものとすることができる。会員の注文確認した商品をＨＬＣ専有の任意ボックス中に等分量に格納することができ、いずれも直接にＨＬＣシステムの小型の自動化倉庫システムにより、商品を地下６階の倉庫センターから会員の部屋に輸送することができ、個人の要望に応じて精密分量の商品を迅速に会員の手元に送り届けることができるのみならず、会員が生活を維持する上で、必要な外出や生活必需品の購入により生じる可能性のあるリスクを大幅に低減することもでき、及び外国人労働者に頼らなければならない健康な高齢者に要する労働力を節約することができ、とりわけ、将来、東南アジア諸国連合においては、経済発展が進むにつれて、外国人労働者の労働力の輸出が必然的に不足することになる。
【考案の効果】
【００１４】
本考案にかかる医療機能と住宅機能を結合すると共に、自動化倉庫システムを設置する建築物は、前記建築物の適当階層に位置する少なくとも１つの医療施設層と、複数個の住居ユニットと、自動化倉庫システムとを備え、各住居ユニットには、テーブル体と、前記テーブル体上に設置される少なくとも１つの住居探知測定設備と、前記テーブル体の別の位置上に載置されるスマートコンピュータ装置とを有する生活医療用テーブルが設置され、住居探知測定設備は、居住者の生理データを計測すると共に、計測した生理データを伝送するために用いられ、出入力装置、中央処理ユニット、メモリユニット及び表示部材を含むスマートコンピュータ装置は、その一端が各前記少なくとも１つの住居探知測定設備の出力端に連結され、その他端がネットワークを介して医療クラウド及び小型化の自動化倉庫システムに接続され、前記居住者の生理データを受信して前処理を行うと共に、前記医療クラウドにアップロードすることで、前記居住者は、前記出入力装置を用いて、指令操縦、メッセージの送受信と表示、医療スタッフのリンク、医療物資の調達及びその他の医療サービスとサポートを含む医療ケア関連の操作を行い、
前記建築物の比較的に低い階層に設置される自動化倉庫施設と、前記自動化倉庫施設と前記居住者との間に配設される少なくとも１つの輸送配管と、コンピュータ制御装置（中央処理ユニット）とを含む自動化倉庫システムは、前記ネットワークを介して前記スマートコンピュータ装置にリンクされ、倉庫業務を自動化処理するために用いられ、
自動化倉庫施設は、必要な医療用品または生活用品（食膳及びその他の食べ物を含む）を自動化分類して保存するために用いられると共に、前記居住者からの要望指示を受け付けると、所要の医療用品または生活用品を準備及び伝送するために用いられ、
少なくとも１つの輸送配管は、輸送コンテナを経由して前記所要の医療用品または生活用品を前記居住者住所に伝送するために用いられ、
それぞれ前記自動化倉庫施設と、前記少なくとも１つの輸送配管とに電気的にカップリングされ、及びネットワークを介して前記テーブル体のスマートコンピュータ装置に接続されるコンピュータ制御装置は、前記自動化倉庫システムの管理、メッセージの送受信、操作及び配達を実行するために用いられ、これにより前記居住者は、住居環境から足を踏み出さない状況下、充分即時の医療サービスとサポートを受け、及び生活機能のサービスの提供を受けることが可能である。
【００１５】
本考案にかかる生活医療用テーブルは、医療機能と住宅機能を結合する建築物の住居ユニット内に設置され、テーブル体及び支柱を有し、支柱の一端でその上部に設置される荷重受圧装置により前記テーブル体を支持し、その他端にカンチレバーが連結され、前記支柱の一側辺にボックス体が連結され、カンチレバーは、前記支柱の他側辺の下方に連結されると共に、前記テーブル体と平行になる。
【００１６】
本考案の医療機能と住宅機能を結合する建築物に設置される小型の自動化倉庫システムは、前記建築物の比較的に低い階層に設置される自動化倉庫施設と、前記自動化倉庫施設と前記居住者との間に配設される少なくとも１つの輸送配管と、コンピュータ制御装置とを含み、自動化倉庫施設は、必要な生活用品を自動化分類して保存するために用いられると共に、会員（各住居ユニットの居住者）からの要望指示を受け付けると、所要の生活用品を自動伝送するために用いられ、少なくとも１つの輸送配管は、輸送コンテナを経由して前記所要の生活用品を前記住戸箇所に伝送するために用いられ、コンピュータ制御装置は、それぞれ前記自動化倉庫施設と、前記少なくとも１つの輸送配管とに電気的にカップリングされ、前記自動化倉庫システムの管理、操作及び配達を実行するために用いられる。
【図面の簡単な説明】
【００１７】
【図１】本考案にかかる医療機能と住宅機能を結合する建築物の自動化倉庫システムの構造図である。
【図２】本考案にかかる医療機能と住宅機能を結合すると共に、自動化倉庫システムを設置する建築物に設置される住居ユニット内の生活医療用テーブルの模式図である。
【図３】図２に示す生活医療用テーブルの側面図である。
【図４】本考案にかかる医療機能と住宅機能を結合する建築物の小型の自動化倉庫システムの構造図である。
【図５】本考案の自動化倉庫施設には多層保存構築を有する図であり、重さ、機能に基づいてＡ、Ｂ、Ｃ、Ｄの４層に分配した場合を示している。
【図６】本考案の自動化倉庫施設から住戸箇所に配達するときに、緩衝空間を予め空けておき、後配達の生活用品（Ａ２）と先配達の生活用品（Ａ１）とのぶつかり合いを防止する模式図である。
【考案を実施するための形態】
【００１８】
図１に示すように、本考案にかかる医療機能と住宅機能を結合すると共に、自動化倉庫システムを設置する建築物１０は、前記建築物１０の適当階層に位置する少なくとも１つの医療施設層２０と、複数個の住居ユニット３０と、前記建築物１０中に備置される生活娯楽層４０と、地下階層５０に設置される小型の自動化倉庫システム６０とを備え、各住居ユニット３０には、生活医療用テーブル３１（図２、図３を参照）が設置され、生活医療用テーブル３１は、テーブル体３１１と、前記テーブル体３１１上に設置される少なくとも１つの住居探知測定設備３１２と、前記テーブル体３１１の別の位置上に載置されるスマートコンピュータ装置３１３とを有し、住居探知測定設備３１２は、居住者の生理データを計測すると共に、計測した生理データを伝送するために用いられ、スマートコンピュータ装置３１３は、その一端が各前記少なくとも１つの住居探知測定設備３１２の出力端に連結され、その他端がネットワークを介して医療クラウド７０及び小型の自動化倉庫システム６０に接続され、出入力装置、中央処理ユニット、メモリユニット及び表示部材（図中未表示）を含み、前記居住者の生理データを受信して前処理を行うと共に、前記医療クラウド７０にアップロードすることで、前記居住者は、前記出入力装置を用いて、指令操縦、メッセージの送受信と表示、医療スタッフのリンク、医療物資の調達及びその他の医療サービスとサポートを含む医療ケア関連の操作を行い、自動化倉庫システム６０は、前記ネットワークを介して前記スマートコンピュータ装置３１３にリンクされ、倉庫業務を自動化処理するために用いられ、前記建築物１０の比較的に低い階層に設置される自動化倉庫施設６１と、前記自動化倉庫施設６１と前記居住者との間に配設される少なくとも１つの輸送配管６２と、コンピュータ制御装置６３とを含み、自動化倉庫施設６１は、必要な医療用品または生活用品（食膳及びその他の食べ物を含む）を自動化分類して保存するために用いられると共に、前記居住者からの要望指示を受け付けると、所要の医療用品または生活用品を準備及び伝送するために用いられ、少なくとも１つの輸送配管６２は、輸送コンテナ６２１を経由して前記所要の医療用品または生活用品を前記居住者住所の保管コンテナ３１４２（図４を参照）に伝送するために用いられ、コンピュータ制御装置６３は、それぞれ前記自動化倉庫施設６１と、前記少なくとも１つの輸送配管６２とに電気的にカップリングされ、及びネットワークを介して前記テーブル体３１１のスマートコンピュータ装置３１３に接続され、前記自動化倉庫システム６０の管理、メッセージの送受信、操作及び配達を実行するために用いられ、これにより前記居住者は、住居環境から足を踏み出さない状況下、充分即時の医療サービスとサポートを受け、及び生活機能のサービスの提供を受けることが可能である。
【００１９】
図２及び図３に示すように、本考案の医療機能と住宅機能を結合すると共に、自動化倉庫システムを設置する建築物１０中の住居ユニット３０内の生活医療用テーブル３１に具備する住居探知測定設備３１２の例としては、耳式体温計、血圧計、血糖計、血中酸素濃度測定器、体重計またはその他の簡易型の探知測定設備が挙げられ、それらにより計測して得られた生理データは、体温、心拍数、血圧、血糖値、血中酸素濃度、体重及びＢＭＩの少なくともいずれか１つを含む。
【００２０】
その内、前記スマートコンピュータ装置３１３の中央処理ユニットによる管理は、入荷、出荷、保存の段取り、及び前記居住者からの要望指示と到着通知の収受を含む。かつ、前記自動化倉庫システム６０の稼動は、前記スマートコンピュータ装置３１３及び／または前記コンピュータ制御装置６３により実行される。前記少なくとも１つの輸送配管６２は、自動軌道エレベーターまたは気送管であり、かつ伝送の終端は、前記住居者の居住空間の保管空間、収受窓口または保管コンテナ（図中未表示）を指す。なお、前記居住者の保管コンテナ３１４２は、さらに前記少なくとも１つの輸送配管６２を経由して廃棄または不用の医療用品または生活用品を返送するために用いられ、かつ前記輸送コンテナ６２１は、多層保存構築を有し、その内、より下段の層に比較的に重い医療用品または生活用品を保存し、かつより上段の層に比較的に軽いまたは貴重な医療用品または生活用品を保存する。
【００２１】
また、本考案の医療機能と住宅機能を結合すると共に、自動化倉庫システムを設置する建築物１０中には、前記ネットワークを介して接続される前記医療クラウド７０は、それぞれ前記スマートコンピュータ装置３１３及び前記医療センターにリンクされ、前記居住者へのスマート医療サービスとサポートを即時に提供するために用いられると共に、実時間監視及び長期介護を提供するために用いられる。そして、前記医療クラウド７０は、必要時にそれぞれ前記スマートコンピュータ装置３１３を経由して各前記居住者及び医療看護スタッフに通知する警報表示機能をさらに提供する。なお、前記居住者へのスマート医療サービスとサポートは、探知測定データを記録、分析及び統合して、医療情報、諮問及び遠隔介護を提供するか、あるいは前記居住者と医療看護スタッフとの密接な連携メカニズムを提供する。
【００２２】
図２及び図３に示すように、本考案にかかる医療機能と住宅機能を結合すると共に、自動化倉庫システムを設置する建築物１０中に設置される住居ユニット３０内の生活医療用テーブル３１は、テーブル体３１１及び支柱３３０を有し、支柱３３０の一端でその上部に設置される荷重受圧装置３４０により前記テーブル体３１１を支持し、その他端にカンチレバー３５０が連結され、前記支柱３３０の一側辺にボックス体３７０が載置または連結され、前記カンチレバー３５０は、前記支柱３３０の他側辺の下方に連結されると共に、前記テーブル体３１１と平行になる。テーブル体３１１上において、例えば、薬品、健康食品、薬剤情報提供文書や住居探知測定設備３１２などの物品の収納を便利にするために、前記ボックス体３７０は、物体を別々に格納するための少なくとも１つの仕切り部材３７１を有する。そのほか、本考案の生活医療用テーブル３１は、画面表示装置３８０（例えば、画面表示器）を別途有してもよく、固定装置３９０（例えば、モニタースタンドまたは引張ばねアーム付きモニタースタンド）により、前記テーブル体３１１と互いに連結される。その内、前記テーブル体３１１の使用者に近接する方向に内部窪みの弧度を有し、その側面には弧状度合を呈する。かつ、前記カンチレバー３５０とボックス体３７０の側辺とは厂字状の弧度を呈する。なお、前記カンチレバー３５０の下方に少なくとも１つの移動装置が連結され、前記ボックス体３７０は、物体を格納するための少なくとも１つの仕切り部材３７１を有し、かつ前記ボックス体３７０の下方に少なくとも１つの移動装置が連結される。このほか、当該移動装置は、間隔距離を隔てる２つのプーリを有するものである。
【００２３】
図４に示すように、本考案にかかる医療機能と住宅機能を結合する建築物１０の小型の自動化倉庫システム６０は、自動化倉庫施設６１と、少なくとも１つの輸送配管６２と、コンピュータ制御装置６３とを含む。その実用例には、倉庫管理員は、住戸がネットワークを通じて注文した生活用品を本考案の前記自動化倉庫施設６１中に保存すると共に、前記住戸の専用の輸送コンテナ６２１中に分配する。前記住戸が住家に帰宅した後、住戸箇所のスマートコンピュータ装置３１３またはパーソナルモバイル装置から配達指令が伝達され、前記配達指令が前記コンピュータ制御装置６３まで伝送され、前記コンピュータ制御装置６３から発した信号を、前記自動化倉庫施設６１及び前記少なくとも１つの輸送配管６２で受信し、本考案の自動化倉庫システム６０は、前記住戸に配達しようとする生活用品を当該輸送配管６２を通じて各前記住居ユニット３０の居住者住所に配達し、前記居住者は、前記住戸箇所の保管コンテナ３１４２中から配達された生活用品を受け取ることができる。
【００２４】
好適な実施形態において、本考案の自動化倉庫施設６１は、前記建築物１０の比較的に低い階層に設置され、図３及び図４に示すように、前記自動化倉庫施設６１は、建築物１０の地下階層５０に設置され、住戸がネット購入された衣、食、住、行、育、樂に関する商品を前記自動化倉庫施設６１まで運送し、輸送コンテナ６２１中に分層・分類して保存し、それから当該輸送配管６２の自動軌道エレベーターを用いて前記輸送コンテナ６２１を住戸箇所の保管コンテナ３１４２に配達し、前記輸送コンテナ６２１が前記住戸箇所の保管コンテナ３１４２に届けられるときに、同期してお届け通知を住戸に送信し、前記住戸は、使用済みや食べ終わった廃棄処分対象になっている包装用の空き箱全てを再び前記輸送コンテナ６２１中に入れて、前記自動化倉庫施設６１に送り戻せば、処理が完成する。
【００２５】
別の好適な実施形態において、本考案の輸送コンテナ６２１は、多層保存構築を有し、図５に示すように、前記多層保存構築としては、合計４層に分けられ、それぞれ比較的に貴重な生活用品を置くためのＡ層１５１と、ペーパータオルやタオルなどの比較的に軽い生活用品を置くためのＢ層１５２と、一般人の食事時の食事台の高さに設計され、食膳を置くための食事配送層であるＣ層１５３と、醤油、ボディソープや洗濯洗剤などの重さが比較的に重い生活用品を置くためのＤ層１５４とを例示している。
【００２６】
さらに別の好適な実施形態において、本考案の自動化倉庫施設６１は、必要な生活用品（例えば、衣、食、住、行、育、樂に関する商品）を自動化分類して輸送コンテナ６２１中に保存することができ、本考案の自動化倉庫施設６１は、さらに自動的に比較的に重い生活用品を前記輸送コンテナ６２１の保存構築のより下段の層に分配することができ、比較的に軽いまたは貴重な生活用品を前記保存構築のより上段の層に保存することができ、各前記居住者（住戸）がその住戸箇所に配達された生活用品を受け取ったときに、高い所から重い物を持ち取るために怪我をするリスクを回避できる。
【００２７】
図６に示すように、より好適な実施形態において、本考案の多層保存構築は、分層した９区画や１２区画を有する保存プラットフォームであり、生活用品の配達時に発生する転動、揺動や移動を回避できる。
【００２８】
より好適な実施形態において、本考案の医療機能と住宅機能を結合する建築物１０の小型の自動化倉庫システム６０は、配達時、図６に示すように、輸送コンテナ６２１を住戸箇所の保管コンテナ３１４２に配達するときに、後配達の生活用品１４２１と先配達の生活用品１４２２とに緩衝空間１４２３を保留することで、２回配達された生活用品同士が互いにぶつかり合うことを回避できる。
【００２９】
より好適な実施形態において、前記住戸は、本考案と連動するコンピュータやモバイルアプリケーションで時間指定配達や分割配達を設定することができ、本考案におけるコンピュータ制御装置６３は、指示に従って時間指定配達や分割配達を行う。
【００３０】
より好適な実施形態において、本考案のコンピュータ制御装置６３は、生活用品を各住居ユニット３０箇所に配達した後、通知信号をスマートコンピュータ装置３１３やモバイル装置に発送し、前記住戸に対し生活用品が前記住戸箇所の保管コンテナ３１４２に既に届けられたことを通知する。
【００３１】
より好適な実施形態において、本考案のコンピュータ制御装置６３は、また在庫信号を各前記住居ユニット３０のスマートコンピュータ装置３１３やモバイル装置に発送し、住戸に対し予備在庫量を定期的にリマインドし、前記自動化倉庫施設６１に滞留在庫が発生するという問題を回避できる。
【００３２】
より好適な実施形態において、本考案の医療機能と住宅機能を結合する建築物１０の小型の自動化倉庫システム６０は、よりさらに輸送配管６２を利用して、異なる大きさを有する少なくとも１つの密封缶を各前記住居ユニット３０に配達し、それらの密封缶は、廃棄物を投げ捨てるために用いられ、環境汚染や病菌による交差感染を回避できると共に、前記住戸箇所の保管コンテナ３１４２から、廃棄または不用の生活用品を低い階層に設置される自動化倉庫施設６１に返送することができる。
【符号の説明】
【００３３】
１０        医療機能と住宅機能を結合すると共に、小型の自動化倉庫システムを設置する建築物
２０        医療施設層
３０        複数個の住居ユニット
３１        生活医療用テーブル
３１１      テーブル体
３１２      住居探知測定設備
３１３      スマートコンピュータ装置
３１４２    保管コンテナ
４０        生活娯楽層
５０        地下階層
６０        小型の自動化倉庫システム
６１        自動化倉庫施設
６２        輸送配管
６２１      輸送コンテナ
６３        コンピュータ制御装置
７０        医療クラウド
３５０      カンチレバー
３４０      荷重受圧装置
３３０      支柱
３７０      ボックス体
３７１      仕切り部材
３８０      画面表示装置
３９０      固定装置
１４２１    後配達の生活用品
１４２２    先配達の生活用品
１４２３    緩衝空間
１５１      Ａ層
１５２      Ｂ層
１５３      Ｃ層
１５４      Ｄ層
【図１】
0003227077.tif 000003
【図２】
0003227077.tif 000004
【図３】
0003227077.tif 000005
【図４】
0003227077.tif 000006
【図５】
0003227077.tif 000007
【図６】
0003227077.tif 000008